(57)【要約】【課題】  従来の動力機関はエネルギー補填がないと動かないだけでなく、モータとして利用するための出力も取れなかった。エネルギー補填の必要のない外部への出力の取れる半永久機関を永久磁石の磁力を利用して作る。【解決手段】  永久磁石の持つエネルギーの永久性に目を付ける。磁力をモーター等に応用するために「磁力整流された磁石」という発明概念に基づく「磁力スライダ」というものを用いる。それにより「磁力スライダ機構」と言う「円盤型」と「ドラム・コア型」の半永久的に出力の取れるモータを作ることが出来る。【選択図】なし。【特許請求の範囲】
【請求項１】
磁力整流装置のついた永久磁石を複数個使った「磁力スライダ」。
【請求項２】
請求項１に記載した「磁力スライダ」を応用した「磁力スライダ機構」である「円盤型モータ」。
【請求項３】
請求項１に記載した「磁力スライダ」を応用した「磁力スライダ機構」である「ドラム・コア型モータ」。
【発明の詳細な説明】
【技術分野】
【０００１】  本発明は動力機関である「磁力スライダ」及び「磁力スライダ機構」に関するものである。「磁力スライダ」とは永久磁石の永久性を利用した発明であり、［課題を解決するための手段］に記された発明概念で作られたものを「磁力スライダ」と呼ぶことにする。また、「磁力スライダ」を応用することによって外部エネルギーの要らない壊れるまで動力としての出力が取れる半永久出力機関が造れる。この「磁力スライダ」を駆動原理とした動力機関を「磁力スライダ機構」と呼ぶ。【０００２】  「磁力スライダ」及び「磁力スライダ機構」の属する技術分野は動力全般である。大出力のモータの駆動原理としては向かない事と小型化もあまり望めないが、一般のモータを作ることはできるので、動力全般を技術分野とする。
【背景技術】
【０００３】  本考案が出される以前の動力機関は必ず燃料又は電気等の駆動の元となるエネルギーが必要だった。今までの動力機関は電気モータとかガソリン・エンジン等にみられるように、電気や電池やガスやガソリンや水や風や太陽光や熱等の外部からのエネルギーの補填がなければ動かないものだった。また永久機関については、単に回り続けるだけで出力の取れない飾りのようなものであり発明としては後ろ向きであった。【０００４】  地球の資源には限りがある。さらに、水や風や太陽光のエネルギーは無尽蔵にあるという長所があるのだが、条件が揃わないと働かないという短所があった。例えば、水力ならば水がない所でどうするか、太陽光では光のない夜をどうするか、風力では無風状態ではどうするか、などの不便さがあった。
【発明の開示】
【発明が解決しようとする課題】
【０００５】  本発明は、磁力を利用した特殊なバネの一種である「磁力スライダ」と、それを活用した出力の取れる半永久的な動力機関である「磁力スライダ機構」を実現して産業で無公害モータを利用することを目的とする。
【課題を解決するための手段】
【０００６】  上記課題を解決するためには永久磁石の磁力の永久性を利用する。しかし、永久磁石はどう組み合わせてみても、そのままでは出力を取る方法が見付からなかった。例えばＳ極とＮ極の求心力を利用すると、近付く時の引き合う力と離れる時の引き合う力が相殺してしまい出力が取れない。ではＳ極同士またはＮ極同士の反発力を利用するとどうかと言うと、離れていく時はうまくいくが次に近付く時に反発し合い出力が取れない。結局、力がどこかで相殺してしまい永久に回るだけで出力は取れない。【０００７】  そこで磁力の反発力でモータを作る場合、磁石が近付く時には磁力線の影響を受けずに、離れる時にだけ磁力線の反発力を受けるようにすればよいことに気付いた。これを実現したものが「磁力スライダ」である。【０００８】  「磁力スライダ」の基本概念は、図１の（ａ）に描かれたように、２つ以上の磁石を互い違いにスライドさせる力「ｆ」を得るために図１の（ｂ）で言えば磁石の磁極面の右半分程に「テーパ」をつける。素材にあらかじめ「テーパ」をつけておいてから磁石にしてもよい。「テーパ」は効果的であれば曲面でもよい。図１の（ｃ）のように長丸い磁石も考えられる。この手法では右側の丸さがテーパとなる。【０００９】  そして「テーパ」を付ける必要のない磁石の半分程の不必要な磁力線は以下に記す軟鉄等の「バイパス板」で反対の極に「磁力整流」してしまう。磁石の半分程の磁力整流する部分には特に「テーパ」は要らない。邪魔にならなければよい。【００１０】  「バイパス板」とは「磁力スライダ」の基本概念である「磁力整流」をするために必要なものである。磁石から出ている不必要な半分の磁力線は図１の（ｂ）や（ｃ）の左上にあるような軟鉄等の「バイパス板」を経過して反対の極に流してしまう。これを「磁力整流」と呼ぶことにする。図１の（ｂ）や（ｃ）の左上にあるのが「バイパス板」である。【００１１】  「バイパス板」に軟鉄等を使う理由は、軟鉄のような素材は磁力線を誘導するが、それ自体は磁石にならないという特質を持っているからである。そのような性質を持つ物質ならば何でも「バイパス板」の素材にできる。磁束密度が高くなる素材ほど良い。「バイパス板」が薄く出来るからである。「バイパス板」の材質や形態はノウハウとなる。「バイパス板」として駄目な例として鋼鉄をあげておく。綱鉄は磁石になってしまうため「磁力整流」できず「バイパス板」にはできない。【００１２】  また「バイパス板」は磁石と強く密着させると「バイパス板」自体が磁石と同化してしまい、軟鉄があたかも鋼鉄を使っているかのように磁石になり「バイパス板」から磁力線がはみ出て「磁力整流」ができないので、磁石と「バイパス板」の間には一切磁化しない物質でできた「絶縁体」が必要である。【００１３】  この磁石と「バイパス板」の間にはさむ「絶縁体」はセロハンテープ等でもよいのだが、老朽化が起こりやすいセロハンテープ等はあまり勧められない。「絶縁体」は空気でも良いのだが、アルミニウムのメッキ等を使うと作りやすいと思われる。とにかく磁力線を透過して、自身が磁化しない物質ならば何でも良い。【００１４】  上記の手法で、磁石の一方の磁極の半分程を「磁力整流」してしまう。こうすると図１の（ａ）の細線で描いたように「バイパス板」のついていない半分程の部分だけから「テーパ」の角度に応じた磁力線が、２個の磁石をスライドさせるために効果的に出ることになる。このようにしてできたバイパス板付きの磁石を「磁力整流装置のついた磁石」と呼ぶことにする。【００１５】  ２つの「磁力整流装置のついた磁石」の磁力整流した面を図１の（ａ）のように互い違いに向かい合わせて、図で言えば上下に少し隙間を開けて配置すると片方だけにシフトする力である左右の「ｆ」を作り出す装置となる。ここまでの発明概念をして「磁力スライダ」と呼ぶことにする。【００１６】  「磁力スライダ」を利用した動力機関が「磁力スライダ機構」であるが、「磁力スライダ」を円盤とかドラムに適切に幾つか付けると回転動力が得られる。この形態には無限の可能性があるので「円盤型」の１例と「ドラム・コア型」の１例を考案したので［発明を実施するための最良の形態］の所で説明する。【００１７】  「磁力スライダ機構」は「磁力スライダ」を使うが、「磁力整流装置の付いた磁石」の細長い部分、すなわち図１の実体図で言うならば前後の方向に関して２つの磁石を平行に配置する利用方法は、力は強いだろうが回転にムラが出る。モータとしてスムーズに回転するようにするために、近付いていく時の磁石の前後の進入角度を「ｆ」の影響方向に対して少し斜めに配置するとよい。
【発明の効果】
【００１８】  「磁力スライダ」の利用、応用により、外部からのエネルギー補填もなく出力も取れる半永久的なモータが提供できる。
【発明を実施するための最良の形態】
【００１９】  「磁力スライダ」の出力は「磁石の強さ」と「磁石の形態」と「テーパの形態」と「絶縁体の種類と厚さ」と「バイパス板の種類と形態」と「２つの磁石の隙間の大きさと配置角度」等で変わる。「磁力スライダ」の実体図としては、図１の（ｂ）と（ｃ）をあげておく。「磁力スライダ」には無数の形態が考えられるので創意工夫してもらいたい。小さくて出力が大きい方が良いのは言うまでもない。【００２０】  「磁力スライダ機構」の１つとして「円盤型」を考案した。固定円盤と回転円盤に「磁力スライダ」を図２の（ａ）及び（ｂ）に示すように数個以上取り付ける。そして図２の（ｃ）の断面図のように組み合わせると回転円盤は「磁力スライダ」の力で常に回転して中心軸から出力が取れる。「磁力スライダ」の強さ、個数、角度、配置等で出力は変わるので、どのような形態を取るかは創意工夫してもらいたい。【００２１】  「円盤型」の特徴は、モータが薄いので１つの軸に幾つもの円盤を直列に連結することができるため出力が計画しやすい。しかし安定性に欠けていて振動雑音もある。図面に載せたものは円盤型の一形態である。上記の方法で「円盤型」の「磁力スライダ機構」が実現できる。出力は中心軸から取り出す。なお、図２では中心軸を支える部分は描いていない。【００２２】  「磁力スライダ機構」の２つめとして「ドラム・コア型」を考案した。図３の（ａ）は外部ドラムを縦に半分に切ったものの実体図であり、図３の（ｂ）は内部コアの実体図である。「ドラム・コア型」は、このように外部ドラムと内部コアを図３の（ｃ）の実体図ように配置した機構で、内部コアには、中心の回転軸に平行に複数の「磁力スライダ」がついており、外部ドラムの内側にはラセン状に複数の「磁力スライダ」が付いている構造である。この外部ドラムと内部コアを図３の（ｃ）のように組み合わせると「磁力スライダ」のエネルギーで片方へと常に回転して、中心軸から出力が取れる。「磁力スライダ」の強さ、個数、角度、配置等で出力や大きさが変わるので、どのような形態を取るかは創意工夫してもらいたい。【００２３】  「ドラム・コア型」の特徴は、非常に安定した回転をすることと振動と雑音が少ないことである。「ドラム・コア型」は軸方向に長い形態なので、１つの軸に２つ重ねる程度が限度である。ただ、歯車等で並列に幾つも組み合わせられれば巨大になるが大出力も可能である。図３に載せたものは「ドラム・コア型」の１形態である。上記の方法で「ドラム・コア型」の「磁力スライダ機構」が実現できる。出力は中心軸から取り出す。なお、図３では中心軸を支える部分は描いていない。【００２４】  「磁力スライダ機構」は「円盤型」であれ「ドラム・コア型」であれ、「モータの出力」及び「モータの大きさ」及び「モータの形態」及び「モータの用途」に応じて創意工夫の余地がある。概念さえ同じであればどんな形でもよく、形態は応用上のノウハウとなる。「磁力スライダ機構」も最良の形態をすべて書き記すことは困難なので創意工夫してもらいたい。【００２５】  「ドラム・コア型」の「磁力スライダ機構」の出力の概算公式を求める。まず、「磁力スライダ」１対の出力を１０ｇとすると、「磁力スライダ」を１６対使った機構では���一つのコアにラセン状の「磁力スライダ」が４個重なるように角度を付けた設計では、１０ｇ×１６個×４倍で６４０ｇ、それにコアの半径を５０ｍｍとすると、中心軸の半径を２ｍｍとして比率を得ると、５０ｍｍ÷２ｍｍ＝２５倍である。また、中心軸の円周は円周率かける直径で３．１４×４ｍｍ＝１２．５６ｍｍ、１秒間に１０回廻ったとして、６４０ｇ×２５倍×１２．５６ｍｍ×１０回転÷１０００ｇ÷１０２ｍｍ＝約２０Ｗとなる。ただし摩擦等によるエネルギー損失は計算に入れてない。式中の１０００ｇと１０２ｍｍはＷを算出するための係数である。【００２６】  さて、「円盤型」の「磁力スライダ機構」の出力の概算公式を［数１］に示す。そして「ドラム・コア型」の「磁力スライダ機構」の出力の概算公式を［数２］に示す。
【数１】
2006353098.tif 000002
【数２】
2006353098.tif 000003
【図面の簡単な説明】
【００２７】
【図１】本発明の「磁力スライダ」の原理図、及び、参考図。
【図２】「磁力スライダ機構」である「円盤型モータ」の参考図。
【図３】「磁力スライダ機構」である「ドラム・コア型モータ」の参考図。
【図１】
2006353098.tif 000004
【図２】
2006353098.tif 000005
【図３】
2006353098.tif 000006